(57)【要約】【課題】  スティックスリップ現象による共振で異常音が発生しないようにする。【解決手段】  スロットインａした大形ディスクＤｂの外周縁をロック解除ピン２３に押し付けることによりロックレバー２０を介してロックピンを一方のロック溝から離脱させるようにしたディスク装置において、前記ロック解除ピン２３が、ロックレバー２０の他端に突設したピン本体２３Ａを有し、該ピン本体２３Ａに円筒状のガイド筒２３Ｂが回転可能に外嵌されており、そのガイド筒２３Ｂにスロットインａした大形ディスクＤｂの外周縁を当接させるようにした。【選択図】        図１
2012053932.tif 000002
【特許請求の範囲】
【請求項１】
ターンテーブル及び光ピックアップを内部に配置したローダーシャーシに可動枠が回動
可能に枢支され、該可動枠にスライド枠がスロットイン方向に沿って前段位置と後段位置
との間でスライド可能に取り付けられ、そのスライド枠に連動連結した連結レバーにロッ
ク孔が貫設されると共に、該ロック孔に一対のロック溝が形成され、ロック孔からいずれ
か一方のロック溝に嵌入するロックピンを一端に突設したロックレバーがローダーシャー
シに回動可能に配置され、該ロックレバーの他端に突設したロック解除ピンがディスク挿
入口内に挿通されており、該ディスク挿入口内にスロットインした大形ディスクの外周縁
をロック解除ピンに押し付けることによりロックレバーを介してロックピンを一方のロッ
ク溝から離脱させ、連結レバーを介してスライド枠のロックを解除し、スロットインした
大形ディスクによりスライド枠を後段位置までスライドさせ、それに連動して連結レバー
を介して他方のロック溝をロックピンに嵌入させることにより、スライド枠を後段位置に
ロックし、そのスライド枠により位置決めされてターンテーブルにクランプされた大形デ
ィスクを高速回転させ、その大形ディスクに記録されている情報を光ピックアップにより
読み取るようにしたディスク装置において、前記ロック解除ピンが、ロックレバーの他端
に突設したピン本体を有し、該ピン本体に円筒状のガイド筒が回転可能に外嵌されており
、そのガイド筒にスロットインした大形ディスクの外周縁を当接させるようにしたことを
特徴とするディスク装置。
【請求項２】
前記ピン本体の先端側がその基端側に比べて径を小さくした小径部とされ、該小径部の
先端近傍に環状溝が形成され、その小径部の先端面の角部を面取りしてテーパ面が形成さ
れ、前記ガイド筒の一端側に周方向所定間隔をおいて複数の切れ目を入れることにより、
その各切れ目間の切り残し部分が拡径可能に形成され、その切り残し部分の内周面にスト
ッパが一体突設されており、ガイド筒を小径部に外嵌させてストッパを環状溝に嵌入させ
るようにしたことを特徴とする請求項１に記載のディスク装置。
【発明の詳細な説明】
【技術分野】
【０００１】
本発明は、例えばＤｉｓｃスロットローディング機構方式のＢｌｕ−ｒａｙ  Ｄｉｓｃ
式ディスク装置（レコーダまたはプレーヤ）に関し、特に、スティックスリップ現象によ
る共振で異常音が発生しないようにしたものである。
【背景技術】
【０００２】
図３〜図６はＤｉｓｃスロットローディング機構方式のＢｌｕ−ｒａｙ  Ｄｉｓｃ式デ
ィスク装置を示すものであって、図３及び図４は直径８ｃｍの小形ディスクＤａをスロッ
トインａしている状態を示し、図５及び図６は直径１２ｃｍの大形ディスクＤｂをスロッ
トインａしている状態を示している。
【０００３】
前記ディスク装置は、シャーシ１Ａと、該シャーシ１Ａに被せた蓋板１Ｂとからなるロ
ーダーシャーシ１を有し、該ローダーシャーシ１の前面にディスクＤａ，Ｄｂをスロット
インａ及びスロットアウトｂするためのディスク挿入口２が形成され、シャーシ１Ａにタ
ーンテーブル３付きスピンドルモータ４とガイド軸５に沿って移動可能な光ピックアップ
６とが配置され、シャーシ１Ａに枢支軸７を中心に矢印ｃ，ｄ方向に回動可能に枢支され
た可動枠８が設けられ、ターンテーブル３に対向してクランパ９が可動枠８に一定範囲内
移動可能に取り付けられ、該クランパ９をターンテーブル３から離間させるために可動枠
８を矢印ｃ方向に引っ張るばね１０が設けられている。
【０００４】
前記可動枠８に長孔１１がスロットインａ方向に沿って貫設され、その可動枠８の裏面
側で長孔１１にスライド可能に係合するスライド枠１２が設けられ、該スライド枠１２に
ディスク位置決め片１２ａが一体突設されている。
【０００５】
前記可動枠８の表面側に連結レバー１４が支軸１５を中心にｅ，ｆ方向に回動可能に配
置され、該連結レバー１４の一端に貫設した長孔状連結孔１６をスライド枠１２に一体突
設した連結片１２ｂに回動可能に嵌合させることにより、連結レバー１４とスライド枠１
２とが連動連結されている。
【０００６】
前記連結レバー１４の他端に支軸１５を中心にして円弧状ロック孔１７が貫設され、該
ロック孔１７の外周側縁の両端に一対のロック溝１７ａ，１７ｂが凹設され、連結レバー
１４を矢印ｆ方向に引っ張るばね１８が設けられている。
【０００７】
前記蓋板１Ｂの表面側にロックレバー２０が支軸２１を中心に矢印ｇ，ｈ方向に回動可
能に配置され、該ロックレバー２０の一端に突設したロックピン２２がロック孔１７から
いずれか一方のロック溝１７ａ（または１７ｂ）に嵌入され、そのロックレバー２０の他
端に突設したロック解除ピン２３が蓋板１Ｂの貫通孔２４を通ってディスク挿入口２内に
挿通され、ロックレバー２０を矢印ｈ方向に引っ張るばね２５が設けられている。
【０００８】
前記ディスク挿入口２に接近して蓋板１Ｂの裏面にガイドフラップ２７が配置されると
共に、該ガイドフラップ２７に対向してガイドローラ２８が設けられ、該ガイドローラ２
８は、モータ（図示せず）により正逆回転されると共に、連動機構（図示せず）によりガ
イドフラップ２７に対して接近離間可能に形成されている。
【０００９】
上記構成において、図３及び図４に示す状態では、ばね１８により連結レバー１４が矢
印ｆ方向に引っ張られてロックピン２２が一方のロック溝１７ａに嵌入され、スライド枠
１２がターンテーブル３に接近した前段位置Ａでロックされており、この状態で、小形デ
ィスクＤａをディスク挿入口２内にスロットインａすると、小形ディスクＤａがロック解
除ピン２３に接触しても、該小形ディスクＤａの外径が小さいから、ロックレバー２０は
ほとんど動かず、ロックピン２２と一方のロック溝１７ａとの嵌合状態を維持する。
【００１０】
スロットインａされた小形ディスクＤａはガイドフラップ２７とガイドローラ２８とで
挟まれ、該ガイドローラ２８の正転により小形ディスクＤａがディスク位置決め片１２ａ
に当たるまで送り込まれて前段位置Ａでターンテーブル３と同心状に位置決めされ、それ
を検知する検知信号により、ガイドローラ２８がガイドフラップ２７から離間され（図４
仮想線参照）、可動枠８を矢印ｄ方向に回動させてクランパ９が小形ディスクＤａを介し
てターンテーブル３上に載置され、そのクランパ９とターンテーブル３とで小形ディスク
Ｄａがクランプされる（図４仮想線参照）。続いて、スピンドルモータ４によりターンテ
ーブル３を介して小形ディスクＤａが高速回転され、光ピックアップ６によりその小形デ
ィスクＤａに記録されている情報を読み取る。
【００１１】
図５に二点鎖線で示すように、大形ディスクＤｂをディスク挿入口２内にスロットイン
ａすると、図６に示すように、大形ディスクＤｂの外周縁がロック解除ピン２３に押し付
けられてロックレバー２０を矢印ｇ方向に回動させ、ロックピン２２が一方のロック溝１
７ａから離脱され、スライド枠１２のロックが解除される。続いて、スロットインａした
大形ディスクＤｂによりディスク位置決め片１２ａが押されてスライド枠１２が前段位置
Ａから後段位置Ｂまでスライドされ、それに連動して連結レバー１４が矢印ｅ方向に回動
され、ロックピン２２が他方のロック溝１７ｂに嵌入され（図５実線参照）、スライド枠
１２が後段位置Ｂでロックされ、ディスク位置決め片１２ａにより大形ディスクＤｂがタ
ーンテーブル３と同心状態に位置決めされる。以後は、小形ディスクＤａの場合と同様の
手順で、大形ディスクＤｂがクランプされ、光ピックアップ６によりその大形ディスクＤ
ｂに記録されている情報を読み取る。
【００１２】
従来、前記ロック解除ピン２３は、図７に示すように、金属製円柱体からなり、その基
端部がカシメによりロックレバー２０の他端に固着されている。なお、関連する技術とし
て特許文献１に記載したものがある。
【先行技術文献】
【特許文献】
【００１３】
【特許文献１】特開２００９−２７１９７９号公報
【発明の概要】
【発明が解決しようとする課題】
【００１４】
上記従来の構成では、ロック解除ピン２３が回転しない構造であるため、図７に示すよ
うに、スロットインａした大形ディスクＤｂの外周縁がロック解除ピン２３に押し付けら
れることにより、その大形ディスクＤｂを形成するプラスチック層３０と保護層３１との
間から外周縁に滲み出した接着剤３２にロック解除ピン２３が擦れることによりその両者
間の摩擦抵抗が過大なものとなって、該ロック解除ピン２３がばね２５の引張力に抗して
大形ディスクＤｂから離間され〔図７（ｂ）仮想線参照〕、その離間後に直ちにばね２５
の引張力でロック解除ピン２３が大形ディスクＤｂの外周縁に当接され〔図７（ｂ）実線
参照〕、その当接離間が繰り返されることにより、スティックスリップ現象による共振で
異常音が発生し、ユーザーに不快感を与えるおそれがある。
【００１５】
そこで、ロックレバー２０や連結レバー１４などの共振部品に制振ゴムを張り付けるこ
とが行なわれているが、これでは、部品点数が増加してコストアップになると共に、共振
による異常音の発生を根本的に解消することができない。
【００１６】
本発明は、上記従来の欠点に鑑み、スティックスリップ現象による共振で異常音が発生
しないようにしたディスク装置を提供することを目的としている。
【課題を解決するための手段】
【００１７】
上記目的を達成するため、請求項１に記載の発明は、ターンテーブル及び光ピックアッ
プを内部に配置したローダーシャーシに可動枠が回動可能に枢支され、該可動枠にスライ
ド枠がスロットイン方向に沿って前段位置と後段位置との間でスライド可能に取り付けら
れ、そのスライド枠に連動連結した連結レバーにロック孔が貫設されると共に、該ロック
孔に一対のロック溝が形成され、ロック孔からいずれか一方のロック溝に嵌入するロック
ピンを一端に突設したロックレバーがローダーシャーシに回動可能に配置され、該ロック
レバーの他端に突設したロック解除ピンがディスク挿入口内に挿通されており、該ディス
ク挿入口内にスロットインした大形ディスクの外周縁をロック解除ピンに押し付けること
によりロックレバーを介してロックピンを一方のロック溝から離脱させ、連結レバーを介
してスライド枠のロックを解除し、スロットインした大形ディスクによりスライド枠を後
段位置までスライドさせ、それに連動して連結レバーを介して他方のロック溝をロックピ
ンに嵌入させることにより、スライド枠を後段位置にロックし、そのスライド枠により位
置決めされてターンテーブルにクランプされた大形ディスクを高速回転させ、その大形デ
ィスクに記録されている情報を光ピックアップにより読み取るようにしたディスク装置に
おいて、前記ロック解除ピンが、ロックレバーの他端に突設したピン本体を有し、該ピン
本体に円筒状のガイド筒が回転可能に外嵌されており、そのガイド筒にスロットインした
大形ディスクの外周縁を当接させるようにしたことを特徴としている。
【００１８】
請求項２に記載の発明は、請求項１に記載の発明において、前記ピン本体の先端側がそ
の基端側に比べて径を小さくした小径部とされ、該小径部の先端近傍に環状溝が形成され
、その小径部の先端面の角部を面取りしてテーパ面が形成され、前記ガイド筒の一端側に
周方向所定間隔をおいて複数の切れ目を入れることにより、その各切れ目間の切り残し部
分が拡径可能に形成され、その切り残し部分の内周面にストッパが一体突設されており、
ガイド筒を小径部に外嵌させてストッパを環状溝に嵌入させるようにしたことを特徴とし
ている。
【発明の効果】
【００１９】
請求項１に記載の発明によれば、ロック解除ピンが回転可能なガイド筒を有しているか
ら、スロットインした大形ディスクの外周縁がガイド筒に押し付けられることにより、そ
れに追従してガイド筒が伴回りさせられ、大形ディスクに対してロック解除ピンが当接離
間することなく常に接触させられているから、従来のようにスティックスリップ現象によ
る共振で異常音を発生させてユーザーに不快感を与えることがなくなり、大形ディスクを
静かにスロットインさせることができる。
【００２０】
共振による異常音を根本的に解消することができ、共振部品に制振ゴムを張り付ける場
合に比べて、コストダウンを図ることができる。
【００２１】
請求項２に記載の発明によれば、ガイド筒の他端側の開口部をピン本体の小径部の先端
にあてがうことにより、該小径部のテーパ面に沿ってガイド筒をその小径部に円滑に嵌合
させることができる。
【００２２】
また、ガイド筒の切り残し部分の内周面に一体突設されたストッパが小径部の外周面に
乗り上がることにより、その切り残し部分が拡径されるから、ストッパを小径部の環状溝
に対して容易に嵌入させることができる。
【図面の簡単な説明】
【００２３】
【図１】（ａ）は本発明の実施の一形態であるディスク装置の要部の拡大一部切欠き側面図、（ｂ）はＡ−Ａ矢視図である。
【図２】（ａ）は同要部の分解斜視図、（ｂ）はＢ−Ｂ矢視図である。
【図３】ディスク装置の小形ディスクのスロットイン状態を示す平面図である。
【図４】同縦断面図である。
【図５】同大形ディスクのスロットイン状態を示す平面図である。
【図６】同水平断面図である。
【図７】（ａ）は従来例を示す要部の拡大一部切欠き側面図、（ｂ）はＣ−Ｃ矢視図である。
【発明を実施するための形態】
【００２４】
図１及び図２は本発明の実施の一形態であるディスク装置の要部を示すものであり、こ
れは、Ｄｉｓｃスロットローディング機構方式のＢｌｕ−ｒａｙ  Ｄｉｓｃ式のレコーダ
またはプレーヤであって、ロック解除ピン２３が、ロックレバー２０の他端にカシメによ
り固着した金属製円柱体からなるピン本体２３Ａと、ポリアセタール（ＰＯＭ）などの機
械的強度が大きい硬質合成樹脂からなるガイド筒２３Ｂとを有してる。
【００２５】
前記ピン本体２３Ａの先端側がその基端側に比べて径を小さくした小径部３３とされ、
該小径部３３の先端近傍に環状溝３４が形成され、その小径部３３の先端面の角部を面取
りしてテーパ面３５が形成されている。
【００２６】
前記ガイド筒２３Ｂは、その内径Ｄ１が小径部３３の外径Ｄ２と同一またはわずかに大
きく設定され、その外径Ｄ３がピン本体２３Ａの基端側の外径Ｄ４と同一またはわずかに
大きく設定されており、ガイド筒２３Ｂの一端側に周方向に所定間隔をおいて複数の切れ
目３６を入れることにより、その各切れ目３６間の切り残し部分３７が拡径可能に形成さ
れ、その切り残し部分３７の内周面にストッパ３８が一体突設され、該ストッパ３８の奥
側端面が前記小径部３３のテーパ面３５と平行するように傾斜するテーパ面３９とされて
いる。上記以外の構成は図３〜図７に示す構成とほぼ同じであるから、同一部分に同一符
号を付してその説明を省略する。
【００２７】
上記構成によれば、ガイド筒２３Ｂの他端側の開口部を小径部３３の先端にあてがうこ
とにより、該小径部３３のテーパ面３５に沿ってガイド筒２３Ｂをその小径部３３に円滑
に嵌合させることができる。
【００２８】
また、ガイド筒２３Ｂのストッパ３８のテーパ面３９が小径部３３のテーパ面３５に当
たることにより、そのストッパ３８が小径部３３の外周面にスムーズに乗り上げて切り残
し部分３７が拡径されるから、ストッパ３８を小径部３３の環状溝３４に対して容易に嵌
入させることができる。
【００２９】
更に、切り残し部分３７の端部を押し広げるだけで、ストッパ３８を環状溝３４から抜
き出して、ガイド筒２３Ｂをピン本体２３Ａから簡単に分離させることができる。
【００３０】
図１に示すように、スロットインａした大形ディスクＤｂの外周縁がガイド筒２３Ｂに
押し付けられることにより、それに追従してガイド筒２３Ｂが伴回りさせられ、大形ディ
スクＤｂに対してロック解除ピン２３が当接離間することなく常に接触させられているか
ら、従来のようにスティックスリップ現象による共振で異常音を発生させてユーザーに不
快感を与えることがなくなり、大形ディスクＤｂを静かにスロットインａさせることがで
きる。
【００３１】
共振による異常音を根本的に解消することができ、共振部品に制振ゴムを張り付ける場
合に比べて、コストダウンを図ることができる。
【符号の説明】
【００３２】
１              ローダーシャーシ
３              ターンテーブル
６              光ピックアップ
８              可動枠
１２            スライド枠
１４            連結レバー
１７            ロック孔
１７ａ，１７ｂ  ロック溝
２０            ロックレバー
２２            ロックピン
２３            ロック解除ピン
２３Ａ          ピン本体
２３Ｂ          ガイド筒
３３            小径部
３４            環状溝
３５            テーパ面
３６            切れ目
３７            切り残し部分
３８            ストッパ
Ｄｂ            大形ディスク
Ａ              前段位置
Ｂ              後段位置
ａ              スロットイン
【図１】
2012053932.tif 000003
【図２】
2012053932.tif 000004
【図３】
2012053932.tif 000005
【図４】
2012053932.tif 000006
【図５】
2012053932.tif 000007
【図６】
2012053932.tif 000008
【図７】
2012053932.tif 000009